(57)【要約】【課題】適切に利用可能な用途を拡大することができるウォーターポンププライヤを提供する。【解決手段】第一のアーム１０１および第二のアーム１０２を、回転可能に連結する連結部１０３と、連結部１０３を孔の２以上の異なる位置で係止させて、アゴ部間の開口幅を調整するための係止構造１０４と、を備えており、第一のアーム１０１および第二のアーム１０２の第一の端部に設けられたアゴ部１０１１，１０２１には、それぞれ、アゴ部１０１１，１０２１の先端には、第一の対向面２０および第二の対向面３０が設けられ、係止構造１０４によりアゴ部１０１１，１０２１の開口幅が最も狭くなる位置で連結部１０３を係止させた状態で、連結部１０３の回転中心１０３１が、第一の対向面２０および第二の対向面３０から等距離にある面上に位置するようにした。【選択図】図１
2018144189.tif 000002
【特許請求の範囲】
【請求項１】
第一の端部にアゴ部を有し、第二の端部側にハンドル部を有する第一のアームおよび第二のアームと、
前記第一のアームに設けられた２以上の異なる位置で係止できる孔に挿通されており、前記第一のアームおよび第二のアームを、回転可能に連結する連結部と、
当該連結部を当該孔の２以上の異なる位置で係止させて、前記アゴ部間の開口幅を調整するための係止構造と、を備えており、
前記第一のアームのアゴ部の先端および第二のアームのアゴ部の先端には、第一の対向面および第二の対向面が設けられ、
前記係止構造により前記アゴ部の開口幅が最も狭くなる位置で前記連結部を係止させた状態で、前記連結部の回転中心が、前記第一の対向面および第二の対向面から等距離にある面上に位置するウォーターポンププライヤ。
【請求項２】
前記第一の対向面および第二の対向面は、前記アゴ部の先端から延びる凸条が設けられた凹部を有する請求項１記載のウォーターポンププライヤ。
【請求項３】
前記第一のアームのアゴ部の凹部および第二のアームのアゴ部の凹部にそれぞれ設けられた凸条の少なくとも先端側は、アゴ部を閉じた状態において、アゴ部の先端から離れるにつれて、当該凸条同士が離れていくように傾斜している請求項２記載のウォーターポンププライヤ。
【請求項４】
前記第一のアームまたは第二のアームの少なくとも一方の第二の端部側に、当該第一のアームまたは第二のアームの延びる方向に垂直な断面が正ｎ角形（ｎは、３以上の整数）であって、第二の端部の先端に向かって、太さが連続的に減少する形状を有するレンチ形状部を備えた請求項１から請求項３いずれか一項記載のウォーターポンププライヤ。
【請求項５】
前記第一のアームまたは第二のアームの少なくとも一方の第二の端部側に、幅が閾値以下であるマイナスドライバ形状を有するドライバ形状部を備えた請求項１から請求項４いずれか一項記載のウォーターポンププライヤ。
【請求項６】
前記第一のアームおよび第二のアームの少なくとも一方のハンドル部に着脱可能に取付けられるカバー部材を更に備え、
前記カバー部材は、長手方向に延びる開口部を有しており、当該開口部は、少なくとも一方の端部まで到達しており、当該開口部の長手方向に垂直な断面がＣ字形状であり、
前記カバー部材がはめ込まれる前記アームのハンドル部の、前記第一のアームと第二のアームとが対向する側の反対側には、前記開口部を介して前記カバー部材のＣ字形状内部に嵌め込み可能な形状を有する嵌め込み部が設けられており、
前記カバー部材は、当該カバー部材が取付けられる前記アームの嵌め込み部が、当該カバー部材の開口した端部から当該カバー部材のＣ字形状内部に挿入されるよう、スライドさせることにより、前記アームに取付けられる請求項１から請求項５いずれか一項記載のウォーターポンププライヤ。
【請求項７】
前記カバー部材は、前記アームの第一の端部側から第二の端部側に向かってスライドさせることにより、前記アームに取付けられる請求項６記載のウォーターポンププライヤ。
【請求項８】
前記各カバー部材は、前記アームに取付けられた状態で前記第二の端部側となる部分に係止面を有し、
前記各カバー部材が取付けられる前記アームの、前記第二の端部側には、前記カバー部材の係止面と係止して、当該カバー部材の前記第二の端部側への移動を防ぐカバー係止部が更に設けられている請求項６または請求項７記載のウォーターポンププライヤ。
【請求項９】
前記カバー部材が取付けられるハンドル部は、前記カバー部材を取り外した状態で露出する部分に、滑り止め形状を有している請求項６から請求項８いずれか一項記載のウォーターポンププライヤ。
【請求項１０】
請求項６から請求項９いずれか一項記載のウォーターポンププライヤに用いられるカバー部材。
【発明の詳細な説明】
【技術分野】
【０００１】
本発明はウォーターポンププライヤ等に関するものである。
【背景技術】
【０００２】
水道管やガス管などの配管の接続等に用いられる工具として、従来から、ウォーターポンププライヤと呼ばれるプライヤが知られていた。ウォーターポンププライヤは、例えば、開口部の方向を、ハンドル部の延びる方向に対して曲げたプライヤである。ウォーターポンププライヤは、例えば、上アゴ部と、下アゴ部との間で、ロックナットやカップリングを挟んで、これらの締付等を行なうために用いられる。ウォーターポンププライヤーの連結部は、通常、大きくスライド可能な構造となっており、連結部をスライドさせれば上アゴ部と、下アゴ部とが大きく開き、大きなものをより確実に挟むことが可能となる。
【０００３】
図１１は、従来のウォーターポンププライヤの一例の、第一のアゴ部９１および第二のアゴ部９２を閉じた状態の右側面図（図１１（ａ））、及び第一のアゴ部９１および第二のアゴ部９２を開いた状態の右側面図（図１１（ｂ））である（非特許文献１参照）。このウォーターポンププライヤにおいては、第一のアゴ部９１を有するアームと、第二のアゴ部９２を有するアームを、連結軸９３を回転軸として回転させることで、第一のアゴ部９１と第二のアゴ部９２とを開閉してロックナット等の挟持対象物を挟持することができる。
【先行技術文献】
【非特許文献】
【０００４】
【非特許文献１】"ＫＮＩＰＥＸ−Ｔｈｅ  Ｐｌｉｅｒｓ  Ｃｏｍｐａｎｙ．−製品情報"、［ｏｎｌｉｎｅ］、ＫＮＩＰＥＸ−Ｗｅｒｋ、［平成２９年１月１７日検索］、インターネット＜ＵＲＬ：ｈｔｔｐ：／／ｗｗｗ．ｋｎｉｐｅｘ．ｃｏｍ／ｉｎｄｅｘ．ｐｈｐ？ｉｄ＝１２１６＆Ｌ＝１７＆ｐａｇｅ＝ｇｒｏｕｐ＿ｄｅｔａｉｌ＆ｐａｒｅｎｔＩＤ＝１３６８＆ｇｒｏｕｐＩＤ＝１５０３＞
【発明の概要】
【発明が解決しようとする課題】
【０００５】
従来、プライヤの使い方の一つとして、プライヤの先端にネジ頭等の対象物を挟んで、対象物を引っ張ったり、回したりする使い方が知られていた。例えば、本願発明者らは、ネジ頭を挟んでネジを回すための構造をアゴ部の先端に備えたプライヤを提案している（特開２００３−２９１０７２号公報）。
【０００６】
図１１に示したような従来のウォーターポンププライヤにおいても、その用途の１つとして、上アゴ部９１の先端と下アゴ部９２の先端とで、これらの先端方向に延びるよう取付けられたネジの頭等の対象物を挟んで、対象物を引っ張ったり、回したりする使い方が考えられる。
【０００７】
しかしながら、図１１に示したような従来のウォーターポンププライヤにおいては、アームを連結軸９３を回転軸として回転させた場合に、上アゴ部９１の先端側と下アゴ部９２の先端側とにそれぞれ設けられた対向面をそれぞれ含む二つの面が交わる位置が大きく動くため、上アゴ部９１の先端と下アゴ部の先端とでネジの頭等の対象物を挟む際に、上アゴ部９１の動きと、下アゴ部９２の動きが予測しづらく、また、上アゴ部９１と下アゴ部９２とを閉じる際に、下アゴ部９２の先端が一旦前に突き出るように動くため、上アゴ部９１の先端と下アゴ部の先端とでネジの頭等の対象物を挟む際に、上アゴ部９１の先端と下アゴ部９２の先端との、それぞれの先端方向に対する移動量が異なり、対象物を挟みにくい、という問題があった。
【０００８】
このように、従来のウォーターポンププライヤにおいては、上アゴ部９１の先端と下アゴ部の先端とで、対象物を挟む際に操作性が悪いという課題があった。このため、ウォーターポンププライヤを限られた用途にした適切に利用することができなかった。
【０００９】
本発明は、上記のような課題を解消するためになされたものであり、適切に利用することが可能な用途を拡大したウォーターポンププライヤを提供することを目的とする。
【課題を解決するための手段】
【００１０】
本発明のウォーターポンププライヤは、第一の端部にアゴ部を有し、第二の端部側にハンドル部を有する第一のアームおよび第二のアームと、第一のアームに設けられた２以上の異なる位置で係止できる孔に挿通されており、第一のアームおよび第二のアームを、回転可能に連結する連結部と、連結部を孔の２以上の異なる位置で係止させて、アゴ部間の開口幅を調整するための係止構造と、を備えており、第一のアームのアゴ部の先端および第二のアームのアゴ部の先端には、第一の対向面および第二の対向面が設けられ、係止構造によりアゴ部の開口幅が最も狭くなる位置で連結部を係止させた状態で、連結部の回転中心が、第一の対向面および第二の対向面から等距離にある面上に位置するウォーターポンププライヤである。
【００１１】
かかる構成により、第一の対向面の先端と第二の対向面の先端とで、例えば、ネジの頭等の対象物を挟持して、対象物を取り外したりすること等が可能となる。また、挟もうとするネジ等の対象物の軸の延長上に、連結部の回転中心が位置するようにして、アゴ部の先端等を見なくても、対象物をつかむ際の位置あわせ等を連結部の位置を参照して直感的に行なうことが可能となり、操作性を向上させることができる。また、第一の対向面および第二の対向面を、それぞれの法線と、それぞれの面の移動方向とがなす角度が一定となるよう移動させることができるため、ネジの頭等を、第一の対向面と第二の対向面とで挟む際の、第一の対向面と第二の対向面との動きが予想しやすく、動きも複雑化しないため、ネジの頭等を挟む際の位置あわせ等を容易に行なうことができ、ネジの頭等を容易に挟むことができる。また、例えば、第一のハンドル部と第二のハンドル部とを握った場合に、下側に位置するアゴ部の第二の対向面の先端が、第一の対向面に略平行な方向において、第一の対向面２０の先端よりも先の位置に移動しない、あるいは先の位置にほぼ移動しないようにでき、ネジの頭等を容易に挟むことが可能となる。これにより、ウォーターポンププライヤの、適切に利用することが可能な用途を拡大することができる。
【００１２】
また、本発明のウォーターポンププライヤは、前記ウォーターポンププライヤにおいて、第一の対向面および第二の対向面は、アゴ部の先端から延びる凸条が設けられた凹部を有するウォーターポンププライヤである。
【００１３】
かかる構成により、第一の対向面の先端と第二の対向面の先端とで、例えば、ネジの頭等の対象物を確実に挟持して、対象物を取り外したりすること等が可能となる。
【００１４】
また、本発明のウォーターポンププライヤは、前記ウォーターポンププライヤにおいて、第一のアームのアゴ部および第二のアームのアゴ部にそれぞれ設けられた凸条の先端側は、アゴ部を閉じた状態において、アゴ部の先端から離れるにつれて、当該凸条同士が離れていくように傾斜しているウォーターポンププライヤである。
【００１５】
かかる構成により、ネジの頭等の対象物を挟持する際に、二つの凹部の先端側を平行あるいは、平行に近づけることができ、対象物を確実に挟持することができる。
【００１６】
また、本発明のウォーターポンププライヤは、前記ウォーターポンププライヤにおいて、第一のアームまたは第二のアームの少なくとも一方の第二の端部側に、第一のアームまたは第二のアームの延びる方向に垂直な断面が正ｎ角形（ｎは、３以上の整数）であって、第二の端部の先端に向かって、太さが連続的に減少する形状を有するレンチ形状部を備えたウォーターポンププライヤである。
【００１７】
かかる構成により、レンチ形状部を、大きさの異なるｎ角形のレンチとして用いることができ、作業の利便性を高めることができる。
【００１８】
また、本発明のウォーターポンププライヤは、前記ウォーターポンププライヤにおいて、第一のアームまたは第二のアームの少なくとも一方の第二の端部側に、幅が閾値以下であるマイナスドライバ形状を有するドライバ形状部を備えたウォーターポンププライヤである。
【００１９】
かかる構成により、ドライバ形状部をマイナスドライバとして用いることができ、作業の利便性を高めることができる。
【００２０】
また、本発明のウォーターポンププライヤは、前記ウォーターポンププライヤにおいて、第一のアームおよび第二のアームの少なくとも一方のハンドル部に着脱可能に取付けられるカバー部材を更に備え、カバー部材は、長手方向に延びる開口部を有しており、当該開口部は、少なくとも一方の端部まで到達しており、当該開口部の長手方向に垂直な断面がＣ字形状であり、カバー部材がはめ込まれるアームのハンドル部の、第一のアームと第二のアームとが対向する側の反対側には、開口部を介してカバー部材の内部に嵌め込み可能な形状を有する嵌め込み部が設けられており、カバー部材は、このカバー部材が取付けられるアームの嵌め込み部が、カバー部材の開口した端部からこのカバー部材のＣ字形状内部に挿入されるよう、スライドさせることにより、アームに取付けられるウォーターポンププライヤである。
【００２１】
かかる構成により、スライドさせてカバー部材をハンドル部に取付けることができ、カバー部材をハンドル部に容易に着脱することができる。また、断面がＣ字形状であるため、カバー部材がハンドル部の周囲で回らないようにすることができる。
【００２２】
また、本発明のウォーターポンププライヤは、前記ウォーターポンププライヤにおいて、前記カバー部材は、前記アームの第一の端部側から第二の端部側に向かってスライドさせることにより、前記アームに取付けられるウォーターポンププライヤである。
【００２３】
かかる構成により、カバー部材をスライドさせて、ウォーターポンププライヤに容易に着脱できるとともに、アームを動かす方向とは異なる方向から、カバー部材を嵌め込むこととなるため、作業時にカバーが外れにくくすることができる。
【００２４】
また、本発明のウォーターポンププライヤは、前記ウォーターポンププライヤにおいて、各カバー部材は、アームに取付けられた状態で第二の端部側となる部分に係止面を有し、各カバー部材が取付けられるアームの、第二の端部側には、カバー部材の係止面と係止して、カバー部材の第二の端部側への移動を防ぐカバー係止部が更に設けられているウォーターポンププライヤである。
【００２５】
かかる構成により、カバー部材が、第一のアームまたは第二のアームの、第二の端部側に移動しないようにして、操作性や安全性を向上させることができる。また、カバー部材と取付けることにより、ウォータポンププライヤの握りやすさを向上させることができる。
【００２６】
また、本発明のウォーターポンププライヤは、前記ウォーターポンププライヤにおいて、カバー部材が取付けられるハンドル部は、カバー部材を取り外した状態で露出する部分に、滑り止め形状を有しているウォーターポンププライヤである。
【００２７】
かかる構成により、カバー部材を外した状態でも、ウォータポンププライヤが滑りにくくなるようして、操作性や安全性を向上させることができる。
【発明の効果】
【００２８】
本発明によるウォーターポンププライヤによれば、適切に利用することが可能な用途を拡大することができる。
【図面の簡単な説明】
【００２９】
【図１】本発明の実施の形態におけるウォーターポンププライヤの、正面図（図１（ａ））、右側面図（図１（ｂ））、第二のハンドル部を第一のアームと第二のアームとが対向する側から見た図（図１（ｃ））、および第二の端部側から見た図（図１（ｄ））
【図２】同ウォーターポンププライヤの第一のアゴ部および第二のアゴ部を広げた状態の、第一のアゴ部および第二のアゴ部周辺の斜視図（図２（ａ））、および第一のアゴ部の第一の対向面の表面を示す平面図（図２（ｂ））
【図３】同ウォーターポンププライヤの、第一のアゴ部および第二のアゴ部の先端周辺の断面図（図３（ａ））、先端でネジの頭を挟んだ状態を示す第一のアゴ部および第二のアゴ部の先端周辺の側面図（図３（ｂ））、先端でネジの頭を挟んだ状態を示す第一のアゴ部および第二のアゴ部の先端周辺の断面図（図３（ｃ））、先端でネジの頭を挟んだ状態を示す第一のアゴ部および第二のアゴ部の先端近傍の断面図（図３（ｄ））
【図４】同ウォーターポンププライヤのカバー部材を外した状態の正面図（図４（ａ））、側面図（図４（ｂ））、第一のハンドル部を、第一のアームと第二のアームとが対向する側から見た図（図４（ｃ））、および第二の端部側から見た図（図４（ｄ））
【図５】同ウォーターポンププライヤのカバー部材の第二の端部側に配置される側から見た斜視図（図５（ａ））、第一の端部側に配置される側から見た斜視図（図５（ｂ））、上面図（図５（ｃ））、下面図（図５（ｄ））、側面図（図５（ｅ））、および断面図（図５（ｆ））
【図６】同ウォーターポンププライヤのカバー部材の取付け方を示す斜視図（図６（ａ）−図６（ｃ））および側面図（図６（ｄ）−図６（ｆ））
【図７】同ウォーターポンププライヤの滑り止め形状を有する第一のハンドル部および第二のハンドル部を備えたウォーターポンププライヤの一例を示す正面図（図７（ａ））、および背面図（図７（ｂ））を示す図
【図８】同ウォーターポンププライヤのレンチ形状部の斜視図（図８（ａ））、断面図（図８（ｂ））、断面図（図８（ｃ））を示す図
【図９】同ウォーターポンププライヤの、第一の管にレンチ形状部を挿入した状態を示す側面図（図９（ａ））、断面図（図９（ｂ））、断面図（図９（ｃ））、第二の管にレンチ形状部を挿入した状態を示す側面図（図９（ｄ））、断面図（図９（ｅ））、断面図（図９（ｆ））
【図１０】同ウォーターポンププライヤの、カバー部材の第一の変形例を示す断面図（図１０（ａ））、およびカバー部材の第二の変形例を示す斜視図（図１０（ｂ））
【図１１】従来のウォータポンププライヤの、アゴ部を閉じた状態の側面図（図１１（ａ））、およびアゴ部を開いた状態の側面図（図１１（ｂ））
【発明を実施するための形態】
【００３０】
以下、ウォーターポンププライヤ等の実施形態について図面を参照して説明する。なお、実施の形態において同じ符号を付した構成要素は同様の動作を行うので、再度の説明を省略する場合がある。
【００３１】
（実施の形態）
本発明は、本願発明者らが特開２００３−２９１０７２号公報において提案しているプライヤの、ネジ頭を挟んでネジを回すための構造を、本願発明者らの鋭意研究によって適用したウォーターポンププライヤに関するものである。
【００３２】
図１は、本実施の形態におけるウォーターポンププライヤの、アゴ部を閉じた状態の正面図（図１（ａ））、右側面図（図１（ｂ））、ウォーターポンププライヤの第二のハンドル部を第一のアームと第二のアームとが対向する側から見た図（図１（ｃ））、およびウォーターポンププライヤを第二の端部側から見た図（図１（ｄ））である。
【００３３】
図２は、本実施の形態におけるウォーターポンププライヤのアゴ部を広げた状態の、第一のアゴ部および第二のアゴ部周辺の斜視図（図２（ａ））、および第一のアゴ部の第一の対向面の表面を示す平面図（図２（ｂ））である。
【００３４】
図３は、本実施の形態におけるウォーターポンププライヤの第一のアゴ部と第二のアゴ部とを閉じた状態の、第一のアゴ部および第二のアゴ部の先端周辺の、第一のアゴ部の延びる方向に沿った断面図（図３（ａ））、先端でネジの頭を挟んだ状態を示す第一のアゴ部および第二のアゴ部の先端周辺の側面図（図３（ｂ））、先端でネジの頭を挟んだ状態を示す第一のアゴ部および第二のアゴ部の先端周辺第一のアゴ部の延びる方向に沿った断面図（図３（ｃ））、先端でネジの頭を挟んだ状態を示す第一のアゴ部および第二のアゴ部の先端近傍のＩＩＩｄ−ＩＩＩｄ線による断面図（図３（ｄ））である。
【００３５】
図４は、本実施の形態におけるカバー部材を外した状態のウォータポンププライヤの正面図（図４（ａ））、側面図（図４（ｂ））、第二のハンドル部を、第一のアームと第二のアームとが対向する側から見た図（図４（ｄ））、および第二の端部側から見た図（図４（ｃ））である。
【００３６】
図５は、本実施の形態におけるカバー部材の長手方向に延びる開口部が設けられた側を、第二の端部側に配置される側から見た斜視図（図５（ａ））、開口部が設けられた側を、第一の端部側に配置される側から見た斜視図（図５（ｂ））、上面図（図５（ｃ））、下面図（図５（ｄ））、側面図（図５（ｅ））、および図５（ｅ）のＶｆ−Ｖｆ線による断面図（図５（ｆ））である。上面図である図５（ｃ）においては、右側が係止面側であるとする。
【００３７】
ウォーターポンププライヤ１は、第一のアーム１０１、第二のアーム１０２、連結軸１０３、および係止構造１０４を備える。
【００３８】
第一のアーム１０１は、第一の端部１０１ａと第二の端部１０１ｂとを有し、第一の端部１０１ａにアゴ部１０１１を有し、第二の端部１０１ｂ側にハンドル部１０１２を有している。第一のアーム１０１のアゴ部１０１１およびハンドル部１０１２を、ここでは、第一のアゴ部１０１１および第一のハンドル部１０１２と呼ぶ。第一のアーム１０１は、ハンドル部１０１２と、第二の端部１０１ｂとの間に、レンチ形状部１０５を備えている。
【００３９】
第二のアーム１０２は、第一の端部１０２ａと第二の端部１０２ｂとを有し、第一の端部１０２ａにアゴ部１０２１を有し、第二の端部１０２ｂ側にハンドル部１０２２を有している。第二のアーム１０２のアゴ部１０２１およびハンドル部１０２２を、ここでは、第一のアゴ部１０１１および第一のハンドル部１０１２と呼ぶ。第二のアーム１０２は、第二の端部１０２ｂにドライバ形状部を有している。
【００４０】
第一のアーム１０１には、第一のアーム１０１の延びる方向に沿って延びるスライド用の孔（以下、スライド孔と称す）１０１３が設けられている。スライド孔１０１３は貫通孔である。ここでは、スライド孔１０１３が直線状に延びる平面形状を有している場合を例に挙げて示している。ただし、必ずしも直線状に延びている必要はない。なお、スライド孔１０１３が、第一のアーム１０１の延びる方向に沿って延びるということは、スライド孔１０１３の延びる方向が、第一のアーム１０１の延びる方向に平行であるか否かは問わない。例えば、スライド孔１０１３が、全体的にみて、第一のアーム１０１の延びる方向に沿って延びていれば、スライド孔１０１３の延びる方向が、第一のアーム１０１の延びる方向に対して傾斜している場合や、スライド孔１０１３が湾曲している場合も、スライド孔１０１３が、第一のアーム１０１の延びる方向に沿って延びていると考えてもよい。また、スライド孔１０１３は、必ずしも第一のアーム１０１に沿って延びていなくても良い。
【００４１】
連結軸１０３は、スライド孔１０１３に挿通されており、第一のアーム１０１と第二のアーム１０２とを、回転可能に連結している。連結軸１０３の一端（ここでは一例として第一のアーム１０１側の端部）にはネジ頭１０３２が設けられている。また、連結軸１０３の他端（ここでは一例として第二のアーム１０２側の端部）にはネジ溝が設けられており、ナット１０３３で止められている。ただし、連結軸１０３の止め方は問わない。連結軸１０３は、第一のアーム１０１の第一のアゴ部１０１１と、第一のハンドル部１０１２との間の部分と、第二のアーム１０２の第二のアゴ部１０２１と第二のハンドル部１０２２との間の部分とを連結している。連結軸１０３は、例えば、一端が第二のアーム１０２に固定されていてもよい。連結軸１０３は、例えば、第二のアーム１０２と一体成型されていても良い。第一のアーム１０１と第二のアーム１０２とは、連結軸１０３の回転中心１０３１を回転軸として回転可能となっている。連結軸１０３を、スライド孔１０１３内でスライドさせて連結軸１０３の位置を変更することで、後述する第一のアームのアゴ部１０１１と第二のアームのアゴ部１０２１との間の距離が調整される。なお、ここでは、連結軸１０３の、スライド孔１０１３内に位置する部分の、軸の延びる方向に垂直な断面がＤ字形状である場合を例に挙げて説明する。
【００４２】
第一のアーム１０１、第二のアーム１０２、および連結軸１０３は、例えば、鉄等の金属で構成される。ただし、第一のアーム１０１、第二のアーム１０２、および連結軸１０３の材質は問わない。例えば、これらの１以上は、強化プラスチック等の樹脂で構成されていても良い。
【００４３】
係止構造１０４は、連結軸１０３をスライド孔１０１３の２以上の異なる位置で係止させて、第一のアゴ部１０１１と第二のアゴ部１０２１との間の開口幅を調整するための構造である。２以上の異なる位置は、例えば、スライド孔１０１３の長手方向における異なる位置である。この実施の形態においては、スライド孔１０１３の長辺の一方に設けられた四つの円弧状の凹みであるスライド凹部１０４１と、スライド孔１０１３内に位置する部分の、軸の延びる方向に垂直な断面がＤ字形状である連結軸１０３とが、係止構造１０４を構成している例について示している。第一のアーム１０１と第二のアーム１０２とを回転させて平行軸部の向きと、スライド項の延びる方向との関係を適宜変更することで、平行軸部の曲面部分をスライド孔１０１３が有するスライド凹部１０４１に係合させないようにして連結軸１０３をスライド孔１０１３内で移動可能としたり、平行軸部の曲面部分をスライド孔１０１３が有するスライド凹部１０４１の一つに係合させて、連結軸１０３の位置を固定したりすることができる。
【００４４】
なお、ここでは、スライド孔１０１３が有するスライド凹部１０４１が四つである場合を例に挙げたが、スライド孔１０１３が有するスライド凹部１０４１は、２以上（好ましくは３以上）であればよい。また、スライド凹部１０４１は、スライド孔１０１３の長辺の両側に設けられていても良い。また、連結軸１０３の断面形状は、オーバル形状等であってもよい。また、係止構造としては、上記以外の、通常のウォーターポンププライヤ等において利用されている連結軸の位置を調整するために用いられる係止構造を用いるようにしてもよい。
【００４５】
第一のアーム１０１の第一のアゴ部１０１１の先端および第二のアーム１０２の第二のアゴ部１０２１の先端には、互いに対向する面である第一の対向面２０および第二の対向面３０が設けられている。第一の対向面２０は、第一のアーム１０１に設けられており、第二の対向面３０は、第二のアーム１０２に設けられている。第一のアゴ部１０１１の先端は、第一のアーム１０１の第一の端部１０１ａである。第二のアゴ部１０２１の先端は、第二のアーム１０２の第一の端部１０２ａである。ここでの先端は、第一のアゴ部１０１１および第二のアゴ部１０２１の、先端部分と考えても良く、先端側と考えても良く、先端の近傍と考えてもよい。第一のアゴ部１０１１の第一の対向面２０に隣接する位置には、内凹み形状の挟持面２３が設けられている。第二のアゴ部１０２１の第二の対向面３０に隣接する位置には、第二の対向面３０よりも内側に凹んだ挟持面３３が設けられている。
【００４６】
ウォーターポンププライヤ１においては、第一のハンドル部１０１２と、第二のハンドル部１０２２とを近づけることによって、連結軸１０３の軸方向に延びる水道管等の管（図示せず）を挟持面２３と挟持面３３とにより挟持することができる。また、連結軸１０３をスライド孔１０１３内で移動させて、係止構造で異なる位置に係止させることで、第一のアゴ部１０１１と第二のアゴ部１０２１との開く距離を変更することができ、様々な径の管を挟持することが可能となる。
【００４７】
第一の対向面２０は、第一のアゴ部１０１１の先端から第一のアーム１０１の延びる方向に向かって延びる凹部２１を有している。凹部２１は、第一の対向面２０の、第一のアーム１０１の延びる方向に対して垂直な方向（以下、幅方向と称す）の中央に設けられている。凹部２１は、第一のアゴ部１０１１の先端の端面２４につながっている。第一のアゴ部１０１１の先端の端面２４とは、第一のアーム１０１の延びる方向に位置する端面である。かかることは、第二のアゴ部１０２１の先端の端面３４についても同様である。アゴ部１０１１の先端の端面２４の平面形状の第一の対向面２０側は、凹部２１が設けられた部分がくぼんだ形状を有している。
【００４８】
凹部２１には、第一のアゴ部１０１１の先端から、第一のアーム１０１の延びる方向に向かって延びる複数の凸条２２が設けられている。凸条とは、例えば、線状に延びる凸部や突起部である。ここでは、３本の凸条が設けられている場合を例に挙げて示しているが凸条２２の数は問わない。ただし、凸条２２の数は、２以上であることが好ましい。また、凸条２２の断面形状や高さ等は問わない。なお、凸条２２が設けられているということは、第一のアーム１０１の延びる方向に向かって延びる１以上の線条の凹部が設けられていることや、第一のアーム１０１の幅方向に凹凸が設けられていることも含むと考えてもよい。凸条２２は、先端が尖鋭であることが好ましいが、尖鋭でなくても良く、例えば、先端が丸められていても良く、先端が帯状に平坦であっても良い。なお、図４においては、凸条２２に隣接する線条に延びる溝の底部２２ａを点線で示している。
【００４９】
第二の対向面３０は、上記の凹部２１と同様の凹部３１を有している。凹部３１は、第二のアゴ部１０２１の先端から第二のアーム１０２の延びる方向に向かって延びており、第二の対向面３０の、第二のアーム１０２の幅方向の中央に設けられている。凹部３１は、第二のアゴ部１０２１の先端の端面３４につながっている。第二のアゴ部１０２１の先端の端面３４の平面形状の第二の対向面３０側は、凹部３１が設けられた部分がくぼんだ形状を有している。凹部３１には、上述した凸条２２と同様の、第二のアゴ部１０２１の先端から、第二のアーム１０２の延びる方向に向かって延びる複数の凸条３２が設けられている。なお、凸条３２の形状や数等については、上記凸条２２と同様であるため、ここでは詳細な説明は省略する。なお、図４においては、凸条３２に隣接する線条に延びる溝の底部３２ａを点線で示している。
【００５０】
なお、ここでは、第一の対向面２０が、第一のアゴ部１０１１の先端から第一のアーム１０１の延びる方向に向かって延びる凹部２１を有している例を示しているが、本発明においては、第一の対向面２０は、第一のアゴ部１０１１の先端から延びる凹部２１を有していればよく、凹部２１は、必ずしも第一のアーム１０１の延びる方向に向かって延びていなくても良い。かかることは、第二の対向面３０の凹部３１についても同様である。また、ここでは、凹部２１に、第一のアーム１０１の延びる方向に向かって延びる複数の凸条２２が設けられている例を示しているが、本発明においては、凹部２１には、第一のアゴ部１０１１の先端から延びる複数の凸条２２が設けられていればよく、凸条２２は、必ずしも第一のアーム１０１の延びる方向に向かって延びていなくても良い。かかることは、凹部３１の凸条３２についても同様である。
【００５１】
なお、図３（ｄ）に示すように、凸条２２および凸条３２は、凹部２１および凹部３１の先端において、この凸条２２および凸条３２の先端を通る曲線または先端を繋いだ線が、挟持の対象となる特定のネジの頭に合せた形状となるような形状を有するものであることが好ましい。
【００５２】
本実施の形態においては、一例として、第一のアゴ部１０１１と第二のアゴ部１０２１との開口幅が最も狭くなるようにした状態で、第一のアゴ部１０１１の先端の端面２４の凹部２１の先端とつながっている部分と、第二のアゴ部１０２１の先端の端面３４の凹部３１の先端とつながっている部分とが、同一の平面上に位置している場合について説明する。但し、同一の平面上に位置していなくても良い。第一のアゴ部１０１１と第二のアゴ部１０２１との開口幅とは、例えば、第一の対向面２０と第二の対向面３０との間隔であり、例えば、第一の対向面２０上の特定の位置と第二の対向面３０上の特定の位置との間における距離等と考えてもよい。
【００５３】
なお、第一のアゴ部１０１１の先端の端面は、平面であってもよく、幅方向の中心側が隆起した曲面や多面体形状であっても良い。また、第一のアゴ部１０１１の先端の端面の第一の対向面２０側の部分は、凹部２１内の凸条２２の部分が突起した形状であっても良い。かかることは、第二のアゴ部１０２１の先端の端面についても同様である。
【００５４】
第一の対向面２０の凹部２１を除いた部分および第二の対向面３０の凹部３１を除いた部分には、幅方向に延びる複数の凸条２５および凸条３５が設けられている。同様に挟持面２３および挟持面３３にも幅方向に延びる複数の凸条２６および凸条３６が設けられている。なお、これらの凸条２５、凸条３５、凸条２６および凸条３６の断面形状や数、ピッチ等は問わない。また、凸条２５および凸条３５は、対向する位置に設けられていても良く、対向しない位置に設けられていても良い。かかることは、凸条２６および凸条３６についても同様である。例えば、同じ間隔を有する複数の凸条２５および凸条３５が、凸条のピッチの半分だけずれて配置されているようにしてもよい。これにより、複数の凸条２５および凸条３５で構成される凹凸が噛み合わせ可能となるようにしても良い。
【００５５】
第一の対向面２０と第二の対向面３０との形状は、面対称な形状であっても良く、面対称でない形状であっても良い。
【００５６】
ウォーターポンププライヤ１は、例えば、第一のアゴ部１０１１と、第二のアゴ部１０２１とで構成される開口部の方向が、第一のアーム１０１の第一のハンドル部１０１２部分の延びる方向および第二のアーム１０２の第二のハンドル部１０２２部分の延びる方向に対して平行とはならない構造を有している。第一のアゴ部１０１１と、第二のアゴ部１０２１とで構成される開口部の方向とは、例えば、第一の対向面２０の幅方向の中心線と、第二の対向面３０の幅方向の中心線とがなす角の二等分線の延びる方向である。例えば、ウォーターポンププライヤ１は、第一のアゴ部１０１１の第一の対向面２０と第二のアゴ部１０２１の第二の対向面３０とから等距離にある面と、第一のアーム１０１の第一のハンドル部１０１２の延びる方向および第二のアーム１０２の第二のハンドル部１０２２の延びる方向とが、平行とはならない形状を有している。
【００５７】
第一の対向面２０の凹部２１と、第二の対向面３０の凹部３１とは、ネジの頭等を挟持するために用いられる。ネジの頭等とは、例えば、ピンの頭や、リベットの頭等であっても良い。また、ネジの種類等は問わない。例えば、ユーザが、第一のハンドル部１０１２と第二のハンドル部１０２２とを手等で握ることで、図３（ｂ）および図３（ｃ）に示すように、物体５５のネジ穴（図示せず）等にはめ込まれたネジ５６の頭を、凹部２１の先端側と凹部３１の先端側で挟んでネジ５６の頭を挟持できる。このとき、凹部２１の凸条２２および凹部３１の凸条３２により、ネジ５６の頭に局所的に力を加えることができるとともに、この突起部が挟む際の滑り止めとなり、ネジ５６の頭を強く挟持することができる。なお、凹部２１の先端とは、凹部２１の第一の端部１０１ａ側の端部であり、凹部３１の先端とは、凹部３１の第一の端部１０２ａ側の端部である。
【００５８】
第一の対向面２０が有する凹部２１に設けられた凸条２２の少なくとも先端側、および第二の対向面３０が有する凹部３１に設けられた凸条３２の少なくとも先端側は、第一のアゴ部１０１１と第二のアゴ部１０２１とを閉じた状態において、第一のアゴ部１０１１の先端および第二のアゴ部１０２１の先端から離れるにつれて、凸条同士が離れているように傾斜している。凸条２２の先端側とは、凸条２２の、第一のアゴ部１０１１の先端側の部分である。凸条３２の先端側とは、凸条３２の、第二のアゴ部１０２１の先端側の部分である。凸条同士が離れているように傾斜しているということは、凸条２２と凸条３２との間隔が広くなるよう傾斜していることと考えてもよい。なお、上記のように傾斜している部分は、凸条２２および凸条３２の先端側だけであっても良く、凸条２２および凸条３２の全体であってもよい。ここでは、凸条２２および凸条３２がいずれも、曲面状に湾曲しており、第一のアゴ部１０１１および第二のアゴ部１０２１の先端から離れるにつれて、一旦、凸条２２と凸条３２とが離れていった後、更に先端から離れるにつれて、凸条２２と凸条３２とが近づいていく場合を例に挙げて示している。
【００５９】
凸条２２および凸条３２の先端側は、この凸条２２と凸条３２との先端で特定のネジの頭を挟んだ状態で、平行となるよう傾斜していることが好ましい。なお、ここでは、誤差程度の傾斜を有している場合も、平行であると考えてもよい。
【００６０】
例えば、図３（ｂ）に示すように、第一のアゴ部１０１１の凹部２１の先端と、第二のアゴ部１０２１の凹部３１の先端とで、ネジ穴等にはめ込まれた特定のネジの頭を挟む際には、図３（ｃ）に示すように、凹部２１の凸条２２および凹部３１の凸条３２の先端側が平行となるため、凹部２１の凸条２２および凹部３１の凸条３２が、ネジの頭を横方向から挟むことができ、ネジの頭を上面側から押し出す力の成分を低減して、ネジの頭が外れにくくすることができる。また、凹部２１内の凸条２２と、凹部３１内の凸条３２との、ネジの頭との接触面積を増加させて、滑りにくくすることができる。なお、図３（ｂ）、及び図３（ｃ）に示した状態においては、第一のアゴ部１０１１の凹部２１の中央の凸条２２の先端の頂点と、第二のアゴ部１０２１の凹部３１の中央の凸条３２の先端の頂点と、連結軸１０３の回転中心１０３１とを結んで構成される三角形は、二等辺三角形となっている。
【００６１】
一方、仮に、凹部２１の凸条２２および凹部３１の凸条３２の先端側が傾斜していない場合においては、凹部２１の凸条２２および凹部３１の凸条３２の先端側が外側に傾斜した状態、つまり、先端側が外側に広がった状態で、ネジの頭を挟むこととなり、凹部２１の凸条２２および凹部３１の凸条３２が、ネジの頭に斜め方向から力が加わるため、ネジの頭を上面側から押し出す力の成分が発生して、この応力によって、ウォーターポンププライヤ１全体が、第一の端部１０１ａの反対側に動いて、ネジの頭から外れやすくなってしまう。
【００６２】
なお、凹部２１の凸条２２の先端側および凹部３１の凸条３２の先端側が傾斜していれば、たとえ特定のネジの頭以外のサイズのネジの頭（例えば、特定のネジよりも頭が大きいネジ等の頭）を挟む場合であっても、傾斜していない場合に比べて、ネジの頭を平行に近い状態で挟むことができ、接触面積を増やすことができるとともに、ネジの頭を上面側から押し出す力の成分を低減して、ネジの頭が外れにくくすることができる。なお、凹部２１の先端側の傾斜角度と、凹部３１の先端側の傾斜角度とは同じ角度であることが好ましい。
【００６３】
本実施の形態のウォーターポンププライヤ１においては、上述した係止構造１０４により第一のアゴ部１０１１と第二のアゴ部１０２１との開口幅が最も狭くなる位置で連結軸１０３を係止させアゴを開口した状態で、連結軸１０３の回転中心１０３１が、第一の対向面２０の先端および第二の対向面３０の先端から等距離に位置するものとなっている。第一のアゴ部１０１１と第二のアゴ部１０２１との開口幅とは、例えば、第一のアーム１０１と第二のアーム１０２とを連結軸１０３を中心として回転させる場合において、第一のアゴ部１０１１の第一の対向面２０と第二のアゴ部１０２１の第二の対向面３０とを最も近づけた場合の第一の対向面２０と第二の対向面３０との距離であっても良く、第一の対向面２０と第二の対向面３０とを最も離した場合の距離であっても良い。ここでの第一の対向面２０と第二の対向面３０との距離は、例えば、第一の対向面２０の一の点と、この点に対向する第二の対向面３０上の点との間の距離であり、第一の対向面２０の先端と第二の対向面３０の先端との距離であってもよい。第一のアゴ部１０１１と第二のアゴ部１０２１との開口幅が最も狭くなる位置で連結軸１０３を係止させた状態、ということは、例えば、連結軸１０３をスライド孔１０１３の、最もアゴ部１０１１側となる位置に係止させた状態である。第一の対向面２０の先端とは、例えば、第一の対向面２０の最も先端側に位置する部分であり、第二の対向面３０の先端とは、例えば、第二の対向面３０の最も先端側に位置する部分である。第一の対向面２０の先端および第二の対向面３０の先端とは、例えば、第一のアゴ部１０１１と第二のアゴ部１０２１とを閉じた状態で対向する第一の対向面２０の先端および第二の対向面３０の先端の一点と考えてもよい。この場合の第一の対向面２０の先端の一点と、第二の対向面３０の先端の一点とは、例えば、凹部２１の中央（最も深さが深い位置）に設けられた凸条２２の先端側の頂点と、凹部３１の中央（最も深さが深い位置）に設けられた凸条３２の先端側の頂点と、である。また、第一の対向面２０の最も先端側に位置する地点と、第二の対向面３０の最も先端側に位置する地点とであってもよい。
【００６４】
なお、係止構造１０４により第一のアゴ部１０１１と第二のアゴ部１０２１との開口幅が最も狭くなる位置で連結軸１０３を係止させアゴを開口した状態で、連結軸１０３の回転中心１０３１が、第一の対向面２０の先端および第二の対向面３０の先端から等距離に位置する構成は、係止構造１０４により第一のアゴ部１０１１と第二のアゴ部１０２１との開口幅が最も狭くなる位置で連結軸１０３を係止させアゴを開口した状態で、第一の対向面２０の先端の一点と、第二の対向面３０の先端の一点と、連結軸１０３の回転中心１０３１上の一点とを結んで構成される三角形が、第一の対向面２０の先端の一点と、第二の対向面３０の先端の一点とを結ぶ辺を底辺とする二等辺三角形となる構成も含むと考えてもよい。この場合の第一の対向面２０の先端の一点と、第二の対向面３０の先端の一点については、上記と同様である。この二等辺三角形の底辺以外の第一の辺の少なくとも一部が、第一の対向面２０上に位置する辺であり、等辺以外の第二の辺の少なくとも一部が、第二の対向面３０上に位置する辺であることが好ましい。
【００６５】
このような構造により、係止構造１０４により第一のアゴ部１０１１と第二のアゴ部１０２１との開口幅が最も狭くなる位置で連結軸１０３を係止させた状態で、第一の対向面２０の凹部２１の先端側と、第二の対向面３０の凹部３１の先端側とでネジの頭を挟む際には、通常、挟もうとするネジの軸の延長上に、連結軸１０３の回転中心１０３１が位置することとなるため、ネジをつかむ際の位置あわせ等を連結軸１０３の位置を参照して直感的に行なうことが可能となる。
【００６６】
また、このような構造により、連結軸１０３の回転中心１０３１から第一の対向面２０の先端までの距離と、連結軸１０３の回転中心１０３１から第二の対向面３０の先端までの距離とを同じ距離とすることができ、第一のハンドル部１０１２と第二のハンドル部１０２２とを握った場合の、連結軸１０３の回転中心１０３１を中心とした第一のアゴ部１０１１と第二のアゴ部１０２１との移動による第一の対向面２０の先端の移動距離と、第二の対向面３０の先端の移動距離とを同じとすることができるため、ネジの頭等を挟む際の位置あわせを容易に行なうことが可能となる。
【００６７】
例えば、本実施の形態においては、第一の対向面２０の先端と、第二の対向面３０の先端とを、その中間地点に挟もうとするネジの頭等が位置するよう配置して、第一のハンドル部１０１２と第二のハンドル部１０２２とを握れば、第一の対向面２０に設けられた凹部２１の凸条２２の先端側と、第二の対向面３０に設けられた凹部３１の凸条３２の先端側とが同じタイミングでネジの頭等の両側に当接されることとなるため、ネジの頭等を挟みやすくすることができる。
【００６８】
なお、回転中心１０３１から第一の対向面２０の先端までの距離と、回転中心１０３１から第二の対向面３０の先端までの距離とが、誤差程度ずれて位置する場合も、連結軸１０３の回転中心１０３１から、回転中心１０３１から第一の対向面２０の先端までの距離と、回転中心１０３１から第二の対向面３０の先端までの距離とが、同じであると考えてもよい。
【００６９】
本実施の形態のウォーターポンププライヤ１においては、図１〜図３等に示すように、上述した係止構造１０４により第一のアゴ部１０１１と第二のアゴ部１０２１との開口幅が最も狭くなる位置で連結軸１０３を係止させた状態で、連結軸１０３の回転中心１０３１が、第一の対向面２０および第二の対向面３０から等距離にある面上に位置するものとなっている。この場合の、第一の対向面２０および第二の対向面３０は、それぞれの表面に設けられた凹部２１や凹部３１、凸条２５および凸条３５を無視した、あるいは除去した場合の面と考えても良く、凸条２５および凸条３５の高さの中間地点、凸条２５および凸条３５のそれぞれの高さの平均、最大値、最小値、中間値等の高さに位置する平面、凸条２５および凸条３５で挟まれる平面、あるいは凸条２５および凸条３５の頂上や根元を通る面等と考えてもよい。この場合の等距離にある面は、例えば、仮想の面である。この面は、通常、平面であるが曲面等であっても良い。例えば、図３（ｂ）に示すように、第一の対向面２０を、便宜上、凸条２５の先端が位置する平面２０ａ、第二の対向面３０を、便宜上、凸条３５の先端が位置する平面３０ａとすると、ウォーターポンププライヤ１の回転中心１０３１は、平面２０ａおよび平面３０ａから等距離にある平面６０上に位置している。なお、ここでは、平面２０ａ、平面３０ａ、および平面６０を、横から見た図を示している。第一の対向面２０および第二の対向面３０から等距離にある面とは、例えば、その面上の任意の点から、第一の対向面２０および第二の対向面３０に対して垂直となるよう降ろした線分の長さが、同じ長さとなる面である。
【００７０】
このような構造により、係止構造１０４により第一のアゴ部１０１１と第二のアゴ部１０２１との開口幅が最も狭くなる位置で連結軸１０３を係止させた状態で、第一の対向面２０の凹部２１の先端側と、第二の対向面３０の凹部３１の先端側とでネジの頭等を挟む際には、通常、挟もうとするネジ等の軸の延長上に、連結軸１０３の回転中心１０３１が位置することとなるため、ネジの頭等をつかむ際の位置あわせ等を連結軸１０３の位置を参照して直感的に行なうことが可能となる。
【００７１】
また、このような構造により、第一の対向面２０および第二の対向面３０を、それぞれの法線と、それぞれの面の移動方向とがなす角度が一定となるよう移動させることができるため、ネジの頭等を、第一の対向面２０と第二の対向面とで挟む際の、第一の対向面２０と第二の対向面３０との動きが予想しやすく、動きも複雑化しないため、ネジの頭等を挟む際の位置あわせ等を容易に行なうことができ、ネジの頭等を容易に挟むことができる。また、例えば、第一のアゴ部１０１１と第二のアゴ部１０２１とのうちの、上側に位置するアゴ部（例えば、図１においては、第一のアゴ部１０１１）の凹部２１を、ネジの頭等の側面に当接させた状態で、第一のハンドル部１０１２と第二のハンドル部１０２２とを握った場合に、下側に位置するアゴ部（例えば、図１においては、第二のアゴ部１０２１）の第二の対向面３０の先端が、第一の対向面２０に平行な方向において、第一の対向面２０の先端よりも先の位置に移動しない、あるいは先の位置にほぼ移動しないようにできるため、第二の対向面３０の先端が、ネジの頭等が取付けられている部材等を押さないようにすることができ、ネジの頭等を挟む際の位置ずれ等を低減させることができ、ネジの頭等を容易に挟むことが可能となる。なお、ここでの第一の対向面２０および第二の対向面３０の移動方向は、例えば、連結軸１０３の回転中心１０３１を中心とした同心円の円周方向である。
【００７２】
これに対し、仮に、図１１に示した従来のウォーターポンププライヤのように、本願とは異なり、係止構造１０４により第一のアゴ部１０１１と第二のアゴ部１０２１との開口幅が最も狭くなる位置で連結軸１０３を係止させた状態で、連結軸１０３の回転中心１０３１が、第一の対向面２０および第二の対向面３０から等距離にある面上に位置していないようにしたウォーターポンププライヤについて考えた場合、第一の対向面２０および第二の対向面３０を、連結軸１０３を回転軸として移動させた場合に、それぞれの法線と、それぞれの面の移動方向とがなす角度が一定とならないため、ネジの頭等を、第一の対向面２０と第二の対向面とで挟む際の、第一の対向面２０と第二の対向面３０との動きが予想しずらく、それぞれの動きも複雑化するため、ネジの頭等を挟む際の位置あわせ等を容易に行なうことができず、ネジの頭等を容易に挟むことができなくなる。例えば、このようなウォータポンププライヤにおいて、例えば、第一のアゴ部１０１１と第二のアゴ部１０２１とのうちの、上側に位置するアゴ部（例えば、図１においては、第一のアゴ部１０１１）の凹部２１を、ネジの頭等の側面に当接させた状態で、第一のハンドル部１０１２と第二のハンドル部１０２２とを握った場合に、下側に位置するアゴ部（例えば、図１においては、第二のアゴ部１０２１）の第二の対向面３０の先端が、第一の対向面２０に平行な方向において、第一の対向面２０の先端よりも先の位置に移動するため、第二の対向面３０の先端が、ネジの頭等が取付けられている部材等を押すことによって、ウォータポンププライヤの第一の端部の先端側が動くことにより、ネジの頭等を挟んだ際の、凹部２１の先端と、凹部３１の先端とがネジの頭等と接する部分の高さ位置が異なってしまったり、下側のアゴ部の対向面の先端部分がネジの頭等の側面に当接されなくなってしまい、ネジの頭等を適切にはさめなくなる恐れがある。
【００７３】
例えば、本願発明者による鋭意研究の結果によれば、従来の技術において説明した図１１に示すようなウォーターポンププライヤの操作性の悪さも、ここで述べたように、第一のアゴ部９１と第二のアゴ部９２との開口幅が最も狭くなる位置で連結軸を係止させた状態で、連結軸９３の回転中心が、第一のアゴ部９１の対向面および第二のアゴ部９２の対向面から等距離にある面上に位置していないことが原因であると考えられる。
【００７４】
なお、ここでは、回転中心１０３１が、第一の対向面２０および第二の対向面３０から等距離にある面上から、誤差程度ずれて位置する場合も、連結軸１０３の回転中心１０３１が、第一の対向面２０および第二の対向面３０から等距離にある面上に位置すると考えてもよい。ここでの誤差程度のずれは、±３ｍｍ以内のずれであることが好ましく、±２ｍｍ以内のずれであることがより好ましい。
【００７５】
なお、上記の実施の形態においては、ネジの頭をつかむ場合について説明したが、本発明においては、ネジの頭以外の挟持の対象物を挟持する場合においても適用できるものであり、このような場合においても、上記と同様の効果を奏するものである。ここでのネジ以外の挟持の対象物は、例えば、リベットや、ピン等である。また、本発明においてつかむネジは、どのような頭の形状を有するネジであっても良く、例えば、円筒形状であっても良く、トラス形状であっても良く、丸形状であっても良い。
【００７６】
本実施の形態においては、第一のハンドル部１０１２および第二のハンドル部１０２２は、第一のアーム１０１または第二のアーム１０２の、連結軸１０３により連結された側から第二の端部１０１ｂまたは１０２ｂ側に向かって、直線状に延びる形状を有している。ただし、第一のハンドル部１０１２および第二のハンドル部１０２２は、直線状に延びる形状以外の他の形状であってもよく、例えば、曲線状に湾曲した形状等を有していても良い。
【００７７】
第一のハンドル部１０１２の、第一のアーム１０１と第二のアーム１０２とが対向する側の反対側には、着脱可能なカバー部材１０７が取付けられている。また、第二のハンドル部１０２２の、第一のアーム１０１と第二のアーム１０２とが対向する側の反対側には、着脱可能なカバー部材１０７が取付けられている。なお、以下、第一のアーム１０１および第二のアーム１０２のそれぞれの、第一のアーム１０１と第二のアーム１０２とが対向する側を内側、その反対側を外側と呼ぶ場合がある。
【００７８】
第一のアーム１０１の第一のハンドル部１０１２に取付けられるカバー部材１０７は、第一のアーム１０１の第一のハンドル部１０１２に沿って延びる形状を有している。また、第二のアーム１０２の第二のハンドル部１０２２に取付けられるカバー部材１０７は、第二のアーム１０２の第二のハンドル部１０２２に沿って延びる形状を有している。なお、以下においては、第一のハンドル部１０１２および第二のハンドル部１０２２に取付けられるカバー部材１０７が同じ形状を有している場合を例に挙げて説明する。ただし、これらは異なる形状を有していても良い。カバー部材１０７は、長手方向の両端が開口している。カバー部材１０７の長手方向の両端とは、例えば、第一のアーム１０１または第二のアーム１０２の第一の端部１０１ｂ側および第二の端部１０２ｂ側となる端部である。カバー部材１０７には、長手方向に延びる帯状の開口部１０７２が設けられている例を示している。ここでは、帯状の開口部１０７２は、カバー部材１０７の長手方向の両端に到達するように設けられている。言い換えれば、帯状の開口部１０７２は、カバー部材１０７の長手方向の両端の間をつなぐように設けられており、帯状の開口部１０７２は、両端の開口している部分とつながっている。なお、開口部１０７２の幅は一定であっても良く、一定でなくても良い。また、開口部１０７２の平面形状は、帯状以外の、長手方向に延びる形状であっても良い。
【００７９】
カバー部材１０７は、図５（ｆ）に示すように、帯状に延びる開口部１０７２が設けられている部分の、長手方向に垂直な断面がＣ字形状を有しており、カバー部材１０７のＣ字形状の内部（以下、Ｃ字形状内部と称す）１０７５は中空となっている。ここでは、帯状の開口部１０７２が、カバー部材１０７の長手方向の両端に到達するように設けられていることから、長手方向のいずれの部分における垂直な断面もＣ字形状となる形状を有している。Ｃ字形状は、曲線で構成されていても良く、直線で構成されていても良く、曲線と直線との組合わせで構成されていても良い。なお、ここでは、環状形状の一部が欠落した形状をＣ字形状と考えてもよい。また、この場合の環状形状の外縁部分は、どのような形状であっても良く、例えば、凹凸等を有していても良い。また、外縁部分の形状は、Ｃ字形状内部１０７５側の形状を拡大した形状であってもよく、Ｃ字形状内部１０７５側と異なる形状であっても良い。ここでは、カバー部材１０７の断面は、対向する二つの辺を上下の辺とした横長の八角形において、下辺部分を開口部とした形状を有している。カバー部材１０７は、長手方向に延びる帯状の開口部１０７２を有しており、開口部１０７２は、カバー部材１０７のＣ字形状内部１０７５とつながっている。この開口部１０７２は、上述したＣ字形状の開口している部分に相当する部分である。カバー部材１０７のＣ字形状内部１０７５の、幅が最も広い部分は、帯状の開口部１０７２の幅よりも広くなっている。
【００８０】
なお、カバー部材１０７は、第一のハンドル部１０１２または第二のハンドル部１０２２に取付けた状態で断面形状がＣ字形状となれば、端面形状がＣ字形状を有していると考えてよい。例えば、カバー部材１０７が弾性を有している場合等においては、第一のハンドル部１０１２および第二のハンドル部１０２２から取り外した状態における、カバー部材１０７の長手方向に垂直な断面形状は、図１０（ａ）に示す第一の変形例のように、Ｃ字形状の開口部が接触している状態の形状であってもよい。なお、このようにＣ字形状の開口部が接触している状態も、ここでは、Ｃ字形状と考えてもよい。また、この断面形状は、Ｏ字形状の一部に線状の切り込みを入れた形状と考えてもよい。そして、このカバー部材１０７を、第一のハンドル部１０１２または第二のハンドル部１０２２に取付けた場合に、このＣ字形状の接触していた開口部が、第一のハンドル部１０１２または第二のハンドル部１０２２をはさみ込むことで、非接触の状態となり、カバー部材１０７の長手方向の断面形状が、図５（ｆ）に示すようにＣ字形状となるようにしてもよい。例えば、開口部１０７２は、第一のハンドル部１０１２および第二のハンドル部１０２２から取りつけた状態においては、帯状に延びる形状を有するとともに、第一のハンドル部１０１２および第二のハンドル部１０２２から取り外した状態においては、カバー部材１０７の長手方向に沿った両側同士が接触して閉じた状態となっていてもよい。このような開口部１０７２も帯状の開口部１０７２と考えてもよい。
【００８１】
第一のアーム１０１に取付けられるカバー部材１０７は、第一のアーム１０１に取付けられた状態で第一のアーム１０１の第二の端部１０１ｂ側となる部分に係止面１０７１を有している。同様に、第二のアーム１０２に取付けられるカバー部材１０７は、第二のアーム１０２に取付けられた状態で第二のアーム１０２の第二の端部１０２ｂ側となる部分に係止面１０７１を有している。なお、ここでは、カバー部材１０７の第一の端部１０１ａ側（または第一の端部１０２ａ側）となる部分が、開口部１０７２側を切り欠いている場合を例に挙げて示している。ただし、カバー部材１０７は、開口部１０７２側を切り欠いていなくても良い。カバー部材１０７の断面形状がＣ字形状である部分は、この切り欠いた部分を除いた部分である。係止面１０７１は、例えば、カバー部材１０７の長手方向における端面の一方である。カバー部材１０７の、係止面側は開口しており、その平面形状は、図５（ｆ）に示した断面と同様の形状を有している。また、ここでは、カバー部材１０７の係止面１０７１とは、反対側の端面も、係止面１０７１と同様に開口している。ただし、カバー部材１０７が第一のハンドル部１０１２、または第二のハンドル部１０２２に嵌め込み可能であれば、開口していなくてもよい。ここでは、一例として、カバー部材１０７は、係止面１０７１側に向かって、連続的に高さが低くなる形状を有している場合を示している。ただし、カバー部材１０７の厚さは均一であっても良く、段階的に厚さが変化していていもよい。
【００８２】
カバー部材１０７の表面形状等は問わない。カバー部材１０７の表面形状は、例えば滑り止めのための溝や凹凸等を有する形状であることが好ましい。
【００８３】
本実施の形態のカバー部材１０７の材質は問わない。カバー部材１０７の材質は、例えば、樹脂である。ただし、カバー部材１０７の材質はゴムや、木材、金属等であっても良い。
【００８４】
カバー部材１０７にはめ込まれる第一のアーム１０１の第一のハンドル部１０１２の外側には、帯状の開口部１０７２を介してカバー部材１０７のＣ字形状内部１０７５に嵌め込み可能な形状を有する第一の嵌め込み部１０１４が設けられている。また、カバー部材１０７がはめ込まれる第二のアーム１０２の第二のハンドル部１０２２の外側には、帯状の開口部１０７２を介してカバー部材１０７のＣ字形状内部１０７５に嵌め込み可能な形状を有する第二の嵌め込み部１０２４が設けられている。第一の嵌め込み部１０１４および第二の嵌め込み部１０２４の長手方向の断面形状は、例えば、カバー部材１０７の内部の断面形状と帯状の開口部１０７２の断面形状とを結合した形状である。第一の嵌め込み部１０１４および第二の嵌め込み部１０２４は、例えば、取付けられたカバー部材１０７が外れにくい形状を有していることが好ましい。例えば、第一の嵌め込み部１０１４および第二の嵌め込み部１０２４の、最も幅の広い部分の幅が、カバー部材１０７の帯状の開口部１０７２の幅よりも広いことが好ましい。第一の嵌め込み部１０１４および第二の嵌め込み部１０２４の幅とは、この第一の嵌め込み部１０１４および第二の嵌め込み部１０２４が嵌め込まれたカバー部材１０７の、帯状の開口部１０７２の幅方向に相当する方向の長さである。第一の嵌め込み部１０１４および第二の嵌め込み部１０２４は、例えば、カバー部材１０７のＣ字形状内部１０７５に嵌め込まれた状態で、ぐらつきやずれ等が生じにくい形状であることが好ましく、カバー部材１０７のＣ字形状内部１０７５に嵌合する形状であることが好ましい。但し、第一の嵌め込み部１０１４および第二の嵌め込み部１０２４の表面に部分的な凹凸が設けられていても、他の部分が嵌合しており、この凹凸が両者の嵌め合せにほとんど影響がなければ、ここでは、嵌合する形状を有していると考えてもよい。また、カバー部材１０７のＣ字形状内部１０７５側の形状とほぼ同様の形状を有していれば、嵌め込まれた状態で多少の隙間等が存在していても、ぐらつき等がなければ、嵌合していると考えてもよい。
【００８５】
第一のアーム１０１の第一のハンドル部１０１２の、第一の嵌め込み部１０１４の付け根となる部分は、カバー部材１０７を第一のハンドル部１０１２に嵌め込んだ状態で、カバー部材１０７の帯状の開口部１０７２によりはさみ込まれた状態となるような形状を有している。同様に、第二のアーム１０２の第二のハンドル部１０２２の、第二の嵌め込み部１０２４の付け根となる部分は、カバー部材１０７を第二のハンドル部１０２２に嵌め込んだ状態で、カバー部材１０７の帯状の開口部１０７２によりはさみ込まれた状態となるような形状を有している。これにより、断面がＣ字形状であるカバー部材１０７が、第一のハンドル部１０１２および第二のハンドル部１０２２に嵌め込まれた状態で、それぞれの周りを回転しないようにして、作業性の劣化や安全性の劣化を防ぐことができる。
【００８６】
ここでは、第一の嵌め込み部１０１４および第二の嵌め込み部１０２４は、カバー部材１０７のＣ字形状内部１０７５に嵌合する形状である場合を例に挙げて説明する。具体的には、第一の嵌め込み部１０１４および第二の嵌め込み部１０２４が、図５（ｆ）に示したカバー部材１０７のＣ字形状内部１０７５の断面に嵌合する形状を、第一のアーム１０１および第二のアーム１０２の延びる方向に延伸させたレール状の形状を有している場合を例に挙げて説明する。なお、この第一の嵌め込み部１０１４および第二の嵌め込み部１０２４の、連結軸１０３側は、後述するように、カバー部材１０７を嵌め込むために、連結軸１０３に近づくに従って、幅が減少するよう傾斜している。
【００８７】
カバー部材１０７が取付けられる第一のアーム１０１の第二の端部１０１ｂ側には、第一のハンドル部１０１２に取付けられたカバー部材１０７の係止面１０７１と係止して、カバー部材１０７の第二の端部１０１ｂ側への移動を防ぐ第一のカバー係止部１０１５が設けられている。同様に、カバー部材１０７が取付けられる第二のアーム１０２の第二の端部１０２ｂ側には、第二のハンドル部１０２２に取付けられたカバー部材１０７の係止面１０７１と係止して、カバー部材１０７の第二の端部１０２ｂ側への移動を防ぐ第二のカバー係止部１０２５が設けられている。カバー部材１０７は、係止面１０７１が、第一のカバー係止部１０１５または第二のカバー係止部１０２５と係止するよう第一のハンドル部１０１２または第二のハンドル部１０２２に取付けられる。第一のカバー係止部１０１５および第二のカバー係止部１０２５の高さは、２ｍｍ以上であることが、作業時に、カバー部材１０７がずれたり、抜け落ちたりしないようにするうえで好ましい。
【００８８】
第一のカバー係止部１０１５および第二のカバー係止部１０２５がどのような形状を有しているかは問わない。第一のカバー係止部１０１５および第二のカバー係止部１０２５は、係止面１０７１の少なくとも一部に当接して、カバー部材１０７の移動をふせぐことができるものであればよい。ここでは、第一のカバー係止部１０１５および第二のカバー係止部１０２５が、第一の嵌め込み部１０１４の第二の端部１０１ｂ側、および第二の嵌め込み部１０２４の第二の端部１０２ｂ側にそれぞれ隣接して設けられた段差である場合を例に挙げて示している。この段差は、係止面１０７１側に隆起した部分を有する段差である。なお、段差の代わりに設けられた突起等を第一のカバー係止部１０１５および第二のカバー係止部１０２５として設けても良い。
【００８９】
また、本実施の形態においては、第一のハンドル部１０１２および第二のハンドル部１０２２の連結軸１０３２側にも、上述したカバー部材１０７の連結軸１０３２側の端部の帯状の開口部１０７２に隣接する面に当接される第一の連結軸側カバー係止部１０１６および第二の連結軸側カバー係止部１０２６を有している。カバー部材１０７の連結軸１０３２側の端部の帯状の開口部１０７２に隣接する面が、この第一の連結軸側カバー係止部１０１６および第二の連結軸側カバー係止部１０１６にそれぞれ係合することで、カバー部材１０７が、連結軸１０３側に容易に移動しないようにして、カバー部材１０７の連結軸１０３側へのずれを防いでいる。なお、ここでは、第一のハンドル部１０１２および第二のハンドル部１０２２の、カバー部材１０７の帯状の開口部１０７２の両側の部分が、この帯状の開口部１０７２の両側に係合するよう凹ませることで、上述したような第一のカバー係止部１０１５、第二のカバー係止部１０２５、第一の連結軸側カバー係止部１０１６、および第二の連結軸側カバー係止部１０２６が設けられている。なお、第一の連結軸側カバー係止部１０１６および第二の連結軸側カバー係止部１０２６の高さは、２ｍｍ以上であることが、作業時に、カバー部材１０７がずれたり、抜け落ちたりしないようにするうえで好ましい。
【００９０】
第一のアーム１０１に取付けられるカバー部材１０７は、このカバー部材１０７が取付けられる第一のアーム１０１の第一の嵌め込み部１０１４が、このカバー部材１０７の係止面１０７１側の開口した部分からカバー部材１０７内部に挿入されるよう、カバー部材１０７を第一のアーム１０１の第一の端部１０１ａ側から第二の端部１０１ｂ側に向かってスライドさせることにより、第一のアーム１０１に取付けられる。ここでのカバー部材１０７の係止面１０７１側は、カバー部材１０７の、第一のアーム１０１の第二の端部１０１ｂ側と考えてもよい。
【００９１】
同様に、第二のアーム１０２に取付けられるカバー部材１０７は、このカバー部材１０７が取付けられる第二のアーム１０２の第二の嵌め込み部１０２４が、このカバー部材１０７の係止面１０７１側の開口した部分からカバー部材１０７内部に挿入されるよう、カバー部材１０７を第二のアーム１０２の第一の端部１０２ａ側から第二の端部１０２ｂ側に向かってスライドさせることにより、第二のアーム１０２に取付けられる。ここでのカバー部材１０７の係止面１０７１側は、カバー部材１０７の、第二のアーム１０２の第二の端部１０２ｂ側と考えてもよい。
【００９２】
図６は、カバー部材１０７の、第一のアーム１０１の第一のハンドル部１０１２への取付け方を示す斜視図（図６（ａ）−図６（ｃ））および側面図（図６（ｄ）−図６（ｆ））である。以下、図６を用いて、カバー部材１０７の第一のアーム１０１への取付け方法について説明する。
【００９３】
まず、図６（ａ）および図６（ｄ）に示すように、カバー部材１０７を、開口部１０７２が第一のアーム１０１側に対向するよう配置し、カバー部材１０７の係止面１０７１側に、第一の嵌め込み部１０１４の連結軸１０３側を嵌め込まれるよう、カバー部材１０７を移動させる。ここでは、第一の嵌め込み部１０１４の連結軸１０３側の幅は、上述したように、第二の端部１０１ｂ側に向かって連続的に広くなっているため、嵌め込みが容易になっている。
【００９４】
そして、図６（ｂ）および図６（ｅ）に示すように、カバー部材１０７を連結軸１０３側から、第二の端部１０１ｂ側に向かってスライドさせて、第一の嵌め込み部１０１４をカバー部材１０７のＣ字形状内部１０７５に順次嵌め込んでいき、更に、図６（ｃ）および図６（ｆ）に示すように、カバー部材１０７の係止面１０７１が、第一のアーム１０１の第一のカバー係止部１０１５と係止するまで、カバー部材１０７をスライドさせ、カバー部材１０７の係止面１０７１を、第一のアーム１０１の第一のカバー係止部１０１５に係止させることで、図１（ｂ）に示すように、カバー部材１０７が、第一のアーム１０１の第一のハンドル部１０１２に取付けられる。取り外しはこの操作の逆を行なえばよい。
【００９５】
ここでは、カバー部材１０７の第一のアーム１０１への取付について説明したが、カバー部材１０７の第二のアーム１０２の取付についても上記と同様であり、ここでは詳細な説明は省略する。
【００９６】
本実施の形態に示したようなカバー部材１０７を取付けることで、ウォーターポンププライヤ１の握り心地等を向上させて、作業性を向上させることができる。例えば、ユーザの手の大きさ等にあった太さのカバー部材１０７を取付けることで、作業性を向上させることができる。
【００９７】
また、本実施の形態においては、カバー部材１０７の係止面１０７１と係止して、カバー部材１０７の移動を防ぐ第一のカバー係止部１０１５および第二のカバー係止部１０２５を設けたことにより、カバー部材１０７が、第一のアーム１０１および第二のアーム１０２の第二の端部側から抜け落ちないようにすることができる。特に、本実施の形態のウォーターポンププライヤ１においては、第一のアゴ部１０１１の凹部２１と第二のアゴ部１０２１の凹部３１とによってネジの頭等を挟んで引っ張ったり回したりする使い方が可能であり、このような使い方をする場合、第一のハンドル部１０１２および第二のハンドル部１０２２にそれぞれ取付けられたカバー部材１０７には、第二の端部１０１ｂ方向および第二の端部１０２ｂ方向に引っ張る強い力が働くと考えられるが、本願のように、カバー部材１０７の係止面１０７１と係止する第一のカバー係止部１０１５および第二のカバー係止部１０２５を設けることで、カバー部材１０７の第二の端部１０１ｂ方向および第二の端部１０２ｂ方向へのずれ等を確実に防いで、ネジの頭等を挟んで行なう作業の作業性および安全性等を向上させることができる。
【００９８】
また、本実施の形態においては、カバー部材１０７を、第一のアーム１０１および第二のアーム１０２にスライドして嵌める構造であるため、カバー部材１０７は、第二の端部１０１ｂ方向および第二の端部１０２ｂ方向にスライドしやすい構造となるが、カバー部材１０７の係止面１０７１と係止する第一のカバー係止部１０１５および第二のカバー係止部１０２５を設けることで、カバー部材１０７が、第一のハンドル部１０１２および第二のハンドル部１０２２から、第二の端部１０１ｂ方向および第二の端部１０２ｂ方向へずれないようにすることができる。
【００９９】
また、本実施の形態においては、カバー部材１０７を、第一のアーム１０１および第二のアーム１０２にスライドして嵌める構造としたことにより、カバー部材１０７を、ネジ等の固定部材を別途用いることなく着脱可能とできるとともに、カバー部材１０７が、第一のアーム１０１および第二のアーム１０２の外側に外れにくくすることができる。
【０１００】
また、本実施の形態においては、カバー部材１０７をネジ等の固定部材を別途用いることなく着脱可能としているため、カバー部材１０７を容易に着脱でき、カバー部材１０７の交換や、カバー部材１０７の洗浄等のメンテナンスを容易に行なうことができる。
【０１０１】
また、本実施の形態においては、カバー部材１０７を、ネジ等の固定部材を別途用いることなく着脱可能とすることで、ユーザが自由に、ユーザにあったカバー部材１０７を取付けて、ウォーターポンププライヤ１を容易にカスタマイズできる。これにより、上記と同様に、ユーザの手の大きさ等にあった太さのカバー部材１０７を取付けることで、作業性を向上させることができる。また、ウォーターポンププライヤ１を複数のユーザで共用する際に、ユーザに適合したカバー部材１０７に取り替えることで、容易に、ウォーターポンププライヤ１を、利用するユーザが使いやすいようにカスタマイズすることができる。
【０１０２】
なお、カバー部材１０７が取付けられる第一のハンドル部１０１２および第二のハンドル部１０２２は、カバー部材１０７を取り外した状態で露出する部分に、滑り止め形状を有していることが好ましい。滑り止め形状とは、例えば、ユーザが第一のハンドル部１０１２と第二のハンドル部１０２２とを握った場合、あるいは、これらを個別に持った場合に、滑りにくくなるような形状である。例えば、滑り止め形状は、例えば、凹凸が設けられた形状である。ここでの凹凸は、円形や矩形等の平面形状を有する突起や、凹み等であっても良く、線条の溝等であっても良い。滑り止め形状は、通常の工具等のハンドル部に利用される滑り止め加工が施された形状であってもよい。
【０１０３】
図７は、滑り止め形状を有する第一のハンドル部１０１２および第二のハンドル部１０２２を備えた、カバー部材１０７を取り外した状態のウォーターポンププライヤの一例を示す正面図（図７（ａ））、および背面図（図７（ｂ））である。ここでは、一例として、滑り止め形状が、第一のハンドル部１０１２および第二のハンドル部１０２２の外側に配列された平面形状が台形形状の複数のくぼみ４０である場合を示している。ただし、この滑り止め形状は、一例であり、本発明においては、これ以外の滑り止め形状を有していても良い。
【０１０４】
このような滑り止め形状を有するようにすることで、カバー部材１０７を外した状態において、ウォーターポンププライヤ１を利用した場合においても、第一のハンドル部１０１２および第二のハンドル部１０２２の滑りを防いで、作業の安全性等を高めることや、作業効率を高めることができる。
【０１０５】
なお、第一のアーム１０１および第二のアーム１０２に取り付けられるカバー部材１０７としては、様々な大きさや表面形状、材質を有するカバー部材１０７が利用可能である。また、第一のアーム１０１と第二のアーム１０２に取付けるカバー部材１０７は、同じカバー部材１０７であっても良く、異なるカバー部材であっても良い。
【０１０６】
また、ここでは、第一のアーム１０１と第二のアーム１０２との両方にカバー部材１０７を取付ける場合について説明したが、本発明においてはいずれか一方のみにカバー部材１０７を取付けるようにしてもよい。
【０１０７】
なお、ここでは、カバー部材１０７が、長手方向の両端が開口しており、帯状の開口部１０７２が、長手方向の両端の間をつなぐように設けられており、長手方向のいずれの部分における垂直な断面もＣ字形状となる形状を有している場合を例に挙げて説明したが、本発明のカバー部材１０７は、カバー部材１０７の長手方向に延びる帯状の開口部１０７２を有しており、この帯状の開口部１０７２が、少なくともカバー部材１０７の一方の端部に到達しており、この開口部１０７２の長手方向に垂直な断面がＣ字形状であればよい。そして、カバー部材１０７は、第一のアーム１０１または第二のアーム１０２の第一の嵌め込み部１０１４または第二の嵌め込み部１０２４に、このカバー部材１０７の開口した端部から、スライドさせることにより取付けられるようにすればよい。つまり、帯状の開口部１０７２は、カバー部材１０７の長手方向の少なくとも一端に到達していれば良く、両端に到達していなくても良い。ここでの、開口部１０７２の長手方向に垂直な断面とは、カバー部材１０７の開口部１０７２を有している部分の長手方向に垂直な断面と考えてもよい。ここでのカバー部材１０７の開口部１０７２が少なくとも到達する一方の端部とは、例えば、第一のアーム１０１または第二のアーム１０２に取り付けた場合に、第二の端部１０１ｂまたは第二の端部１０２ｂ側に位置する端部である。この帯状の開口部１０７２が少なくとも到達する一方の端部は、開口しているようにすることが好ましい。また、上記のカバー部材１０７の開口した端部とは、帯状の開口部１０７２が到達するカバー部材１０７の端部であってもよく、帯状の開口部１０７２の、カバー部材１０７の端部に到達している部分であってもよい。帯状の開口部１０７２が到達するカバー部材１０７の端部は、通常、カバー部材１０７の、カバー部材１０７が嵌め込まれるアームの第二の端部側に位置する端部である。また、ここでのスライドは、例えば、第一のアーム１０１または第二のアーム１０２の第一の端部側から第二の端部側へ向かって行なわれるスライドである。なお、カバー部材１０７の少なくとも一方の端部の開口している部分は、帯状の開口部１０７２とつながっているようにすることが好ましい。また、ここでは、端部の切り欠いた部分も端部の一部と考えてもよい。
【０１０８】
例えば、図１０（ｂ）に示すように、カバー部材１０７の連結軸１０３２側となる部分には、帯状の開口部１０７２が設けられていないようにし、この部分の長手方向の断面がＣ字形状とならないようにしても良い。例えば、この部分の長手方向の断面がＯ字形状となるようにしても良い。また、例えば、上記のように、カバー部材１０７のアーム側となる部分の連結軸１０３２側となる部分を切り欠いていても良い。図１０（ｂ）は、カバー部材１０７の連結軸１０３２側となる部分を長手方向の断面がＯ字形状となるようにした第二の変形例のカバー部材１０７を、開口部１０７２側からみた斜視図である。なお、この場合のカバー部材１０７の断面形状がＣ字形状とならない部分１０７９、具体的には、帯状の開口部１０３２が設けられていない部分１０７９の長さは、カバー部材１０７の全体の長さの３分の１以下であることが好ましい。また、この場合の第一のハンドル部１０１２及び第二のハンドル部１０２２は、このような長手方向の断面がＣ字形状とならないカバー部材１０７が嵌め込み可能な形状であることが好ましい。ただし、第一のハンドル部１０１２及び第二のハンドル部１０２２は、カバー部材１０７の全体に嵌め込み可能な形状を有していなくてもよく、例えば、カバー部材１０７の帯状の開口部１０７２が設けられている部分に嵌め込み可能な形状を有していればよい。そして、このカバー部材１０７は、カバー部材１０７が取付けられる第一のアーム１０１の嵌め込み部１０１４（または第二のアーム１０２の嵌め込み部１０２４）が、第二の端部１０１ｂ側の開口した部分（または第二の端部１０２ｂ側）からこのカバー部材１０７内部に挿入されるよう、第一の端部１０１ａ側から第二の端部１０１ｂ側に向かって（または第一の端部１０２ａ側から第二の端部１０２ｂ側に向かって）スライドさせることにより、第一のアーム１０１または第二のアーム１０２に取付けられる。
【０１０９】
つまり、本実施の形態のウォーターポンププライヤに着脱可能に取付けられるカバー部材１０７は、例えば、以下のようなカバー部材であればよい。即ち、長手方向に延びる帯状の開口部を有しており、この帯状の開口部は少なくともカバー部材の一方の端部まで到達しており、帯状の開口部を有する部分の長手方向に垂直な断面がＣ字形状であり、このカバー部材が取付けられるアームが有するハンドル部の、第一のアームと第二のアームとが対向する側の反対側に設けられた、このカバー部材の内部に嵌め込み可能な形状を有する嵌め込み部に、このカバー部材の開口した端部から、第一の端部側から第二の端部側に向かってスライドさせることにより取付けられるカバー部材である。
【０１１０】
図８は、レンチ形状部１０５の斜視図（図８（ａ））、レンチ形状部１０５のＶＩＩＩｂ−ＶＩＩＩｂ線による断面図（図８（ｂ））、レンチ形状部１０５のＶＩＩＩｃ−ＶＩＩＩｃ線による断面図（図８（ｃ））である。
【０１１１】
レンチ形状部１０５は、第一のアーム１０１の第二の端部１０１ｂ側に設けられている。本実施の形態においては、第一のアーム１０１の第二の端部１０１ｂ側の、第二の端部１０１ｂの先端近傍を除いた部分にレンチ形状部１０５が設けられている場合について説明するが、先端近傍にもレンチ形状部１０５が設けられているようにしても良い。なお、レンチ形状部１０５は、第一のアーム１０１の全体に設けられている必要はない。レンチ形状部１０５は、第二の端部１０１ｂの先端に向かって、太さが連続的に減少する形状を有している。レンチ形状部１０５は、第一のアーム１０１の延びる方向に垂直な断面が正六角形となる形状を有している。ここでの、第一のアーム１０１の延びる方向は、連結軸１０３から第二の端部１０１ｂ側に向かって延びる方向であり、この方向を、レンチ形状部１０５の長手方向と考えても良い。図８（ｂ）および図８（ｃ）に示すように、レンチ形状部１０５は、長手方向の異なる位置における長手方向に垂直な断面がいずれも正六角形となる形状を有している。上述したように、レンチ形状部１０５においては、第二の端部１０１ｂの先端に向かって、太さが連続的に減少しているため、断面の六角形のサイズは、第二の端部１０１ｂの先端に近づくに従って減少している。なお、ここでの正六角形は、角が丸められた正六角形であっても良い。
【０１１２】
図９は、開口部５０ａの平面形状が六角形である第一の管５０にレンチ形状部１０５を挿入した状態を示す側面図（図９（ａ））、第一の管５０にレンチ形状部１０５を挿入した状態の、図９（ａ）のＩＸｂ−ＩＸｂ線による断面図（図９（ｂ））、図９（ａ）のＩＸｃ−ＩＸｃ線による断面図（図９（ｃ））、開口部５１ａの平面形状が六角形である第二の管５１にレンチ形状部１０５を挿入した状態を示す側面図（図９（ｄ））、第二の管５１にレンチ形状部１０５を挿入した状態の、図９（ａ）のＩＸｅ−ＩＸｅ線による断面図（図９（ｅ））、図９（ａ）のＩＸｆ−ＩＸｆ線による断面図（図９（ｆ））である。
【０１１３】
なお、図９において第一の管５０の開口部５０ａのサイズは、第二の管５１の開口部５１ａのサイズよりも大きいものとする。
【０１１４】
レンチ形状部１０５は、長手方向の断面形状が正六角形であるため、平面形状が六角形である第一の管５０の開口部５０ａに嵌め込むことができる。レンチ形状部１０５の断面の六角形のサイズは、第二の端部１０１ｂの先端から離れるに従って増加しているため、図９（ａ）−図９（ｃ）に示すように、第一の管５０は、レンチ形状部１０５の、断面の六角形のサイズが、この第一の管５０の六角形の開口部５０ａのサイズと一致した位置で係止する。そして、例えば、第一のアーム１０１を、レンチ形状部１０５の長手方向に延びる軸であって、第一の管５０の開口部５０ａの中心を通る軸を回転中心として回転させることで、第一の管５０を回転させることができる。
【０１１５】
かかることは、第二の管５１についても同様であり、レンチ形状部１０５の断面の六角形のサイズは、第二の端部１０１ｂの先端に近づくに従って減少しているため、第一の管５０の開口部５０ａよりもサイズが小さい開口部５１ａを有する第二の管５１も、図９（ｄ）−図９（ｆ）に示すように、レンチ形状部１０５の、断面の六角形のサイズが、この第二の管５１の六角形の開口部５１ａのサイズと一致した位置で係止する。なお、第二の管５１の開口部５１ａのサイズは、第一の管５０の開口部５０ａよりも小さいため、第二の管５１は、第一の管５０よりも、レンチ形状部１０５の先端側の位置で係止する。
【０１１６】
このように、レンチ形状部１０５は、長手方向に垂直な断面形状が六角形であり、その断面の六角形のサイズは、第二の端部１０１ｂの先端に近づくに従って減少していることから、異なるサイズの平面形状が六角形である開口部や孔に挿入して嵌め合わせることができ、異なるサイズの六角レンチ等として利用することが可能となる。
【０１１７】
このようなレンチ形状部１０５を備えたことにより、ウォーターポンププライヤ１を用いて配管等の工事を行なっている際に、六角レンチが必要となった場合に、即座に、ウォーターポンププライヤ１のレンチ形状部１０５を六角レンチの代わりに用いることができ、工具の交換等を不要として作業効率を高めることができる。また、レンチ形状部１０５を様々なサイズの六角レンチの代わりとして用いることができるため、利便性が高い。例えば、レンチ形状部１０５を、様々な径の継足ソケットの取付け等に利用することが可能となる。
【０１１８】
第二のアーム１０２は、第二の端部１０２ｂ側に、マイナスドライバ形状を有するドライバ形状部１０６を備えている。マイナスドライバ形状とは、先端が予め決められた厚さおよび幅を有する矩形である形状である。ドライバ形状部１０６は、先端の幅が閾値以下であるマイナスドライバ形状を有している。ここでの閾値は、例えば、１５ｍｍ以下であることが好ましく、１２ｍｍ以下であることがより好ましい。また、ドライバ形状部１０６の先端の幅は、例えば、７ｍｍ以上であることが好ましい。
【０１１９】
このようなドライバ形状部１０６を備えたことにより、ウォーターポンププライヤ１を用いて配管等の工事を行なっている際に、マイナスドライバが必要となった場合に、即座に、ウォーターポンププライヤ１のドライバ形状部１０６をマイナスドライバとして用いることができ、工具の交換等を不要として作業効率を高めることができる。
【０１２０】
なお、本実施の形態においては、レンチ形状部１０５の長手方向の断面形状が正六角形である場合を例に挙げて説明したが、本発明においてはレンチ形状部１０５の断面形状が正ｎ角形（ｎは３以上の整数）であれば良く、このような場合においても、上記と同様の効果を奏する。
【０１２１】
なお、本実施の形態においては、第一のアーム１０１がレンチ形状部１０５を備え、第二のアーム１０２がドライバ形状部１０６を備えている場合について説明したが、本発明においては、第一のアーム１０１がドライバ形状部１０６を備え、第二のアーム１０２がレンチ形状部１０５を備えているようにしてもよく、このような場合においても、上記実施の形態と同様の効果を奏する。
【０１２２】
また、本発明においては、第一のアーム１０１および第二のアーム１０２の両方がレンチ形状部１０５を備えているようにしても良く、第一のアーム１０１および第二のアーム１０２の両方がレンチ形状部１０５を備えているようにしても良い。また、本発明においては、第一のアーム１０１および第二のアーム１０２のいずれか一方のみが、レンチ形状部１０５およびドライバ形状部１０６のいずれか一方のみを備えているようにしても良い。
【０１２３】
以上、本実施の形態によれば、第一のアームの第一のアゴ部および第二のアームの第二のアゴ部の先端に、それぞれ、第一のアームおよび第二のアームの延びる方向に延びる凸条が設けられた凹部を有する第一の対向面および第二の対向面が設けられているようにしたことにより、第一の対向面の凹部の先端と第二の対向面の凹部の先端とで、ネジの頭等の対象物を確実に挟持して、ネジを取り外したりすること等が可能となり、ウォーターポンププライヤの、適切に利用することが可能な用途を拡大することができる。
【０１２４】
また、本実施の形態においては、係止構造によりアゴ部の開口幅が最も狭くなる位置で連結軸を係止させアゴを開口した状態で、前記連結軸の回転中心が、第一の対向面の先端および第二の対向面の先端から等距離に位置するようにしたことにより、ネジの頭等を挟む際には、通常、挟もうとするネジ等の軸の延長上に、連結軸の回転中心が位置することとなるため、第一のアゴ部１０１１の先端および第二のアゴ部１０２１の先端等を見なくても、ネジ等をつかむ際の位置あわせ等を連結軸の位置を参照して直感的に行なうことが可能となり、操作性を向上させることができる。これにより、ウォーターポンププライヤの、適切に利用することが可能な用途を拡大することができる。
【０１２５】
また、連結軸の回転中心から第一の対向面の凹部の先端までの距離と、連結軸の回転中心から第二の対向面の凹部の先端までの距離とを同じ距離とすることができ、第一のハンドル部と第二のハンドル部とを握った場合の、連結軸の回転中心を中心とした第一のアゴ部１０１１と第二のアゴ部１０２１との移動による第一の対向面２０の凹部２１の先端の移動距離と、第二の対向面３０の凹部３１の先端の移動距離とを同じとすることができるため、ネジの頭等を挟む際の位置あわせを容易に行なうことが可能となり、操作性を向上させることができる。これにより、ウォーターポンププライヤの、適切に利用することが可能な用途を拡大することができる。
【０１２６】
なお、上記実施の形態においては、第一のアーム１０１と第二のアーム１０２とが連結軸１０３で回転可能に連結されている場合について説明したが、本発明においては、第一のアーム１０１と第二のアーム１０２とが回転可能に連結できれば、第一のアーム１０１と第二のアーム１０２とはどのような構造の連結部により連結されていても良い。
【０１２７】
また、上記実施の形態においては、ウォーターポンププライヤ１が、連結軸１０３をスライド孔１０１３内で移動させて、係止構造１０３によりスライド孔１０１３の２以上の異なる位置で連結軸１０３を係止させることにより、第一のアゴ部１０１１と第二のアゴ部１０２１との間の開口幅を調整することが可能なウォーターポンププライヤである場合を例に挙げて説明したが、本発明は、第一のアーム１０１に設けられたに挿通されており、第一のアーム１０１および第二のアーム１０２を回転可能に連結する連結部と、この連結部を、第一のアームに設けられた孔の２以上の異なる位置で係止させて、アゴ部間の開口幅を調整するための係止構造とを有することにより、第一のアゴ部１０１１と第二のアゴ部１０２１との間の開口幅を調整することが可能なウォーターポンププライヤであれば適用できるものである。例えば、本発明のウォーターポンププライヤ１は、上記のようなスライド孔１０１３と連結軸１０３とを有する代わりに、第一のアーム１０１に設けられた複数の孔と、この複数の孔に抜き差し可能な連結部とで構成された係止構造を有するウォーターポンププライヤであっても良い。
【０１２８】
また、上記実施の形態においては、第一の対向面２０および第二の対向面３０が、第一のアゴ部１０１１および第二のアゴ部１０２１の先端から延びる凸条が設けられた凹部を有する場合について説明したが、本発明においては、このような凹部を設けないようにしてもよく、このような場合においても、上記のように第一のアゴ部１０１１の先端および第二のアーム１０２の第二のアゴ部１０２１の先端でネジの頭等をつかむ際に、上記と同様の効果を得ることが可能である。ただし、ネジの頭を確実につかめるようにするためには、上記のように凹部を設けることが好ましい。
【０１２９】
なお、本発明は、以上の実施の形態に限定されることなく、種々の変更が可能であり、それらも本発明の範囲内に包含されるものであることは言うまでもない。
【産業上の利用可能性】
【０１３０】
以上のように、本発明にかかるウォーターポンププライヤ等は、ネジの頭等を挟持可能なウォーターポンププライヤ等として有用である。
【符号の説明】
【０１３１】
１  ウォーターポンププライヤ
２０  第一の対向面
２１、３１  凹部
２２、２５、２６、３２、３５、３６  凸条
２３、３３  挟持面
２４、３４  端面
３０  第二の対向面
１０１  第一のアーム
１０２  第二のアーム
１０１ａ、１０２ａ  第一の端部
１０１ｂ、１０２ｂ  第二の端部
１０３  連結軸
１０４  係止構造
１０５  レンチ形状部
１０６  ドライバ形状部
１０７  カバー部材
１０１１  第一のアゴ部
１０１２  第一のハンドル部
１０１３  スライド孔
１０１４  第一の嵌め込み部
１０１５  第一のカバー係止部
１０２１  第二のアゴ部
１０２２  第二のハンドル部
１０２４  第二の嵌め込み部
１０２５  第二のカバー係止部
１０３１  回転中心
１０７１  係止面
１０７２  開口部
【図１】
2018144189.tif 000003
【図２】
2018144189.tif 000004
【図３】
2018144189.tif 000005
【図４】
2018144189.tif 000006
【図５】
2018144189.tif 000007
【図６】
2018144189.tif 000008
【図７】
2018144189.tif 000009
【図８】
2018144189.tif 000010
【図９】
2018144189.tif 000011
【図１０】
2018144189.tif 000012
【図１１】
2018144189.tif 000013
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
第一の端部にアゴ部を有し、第二の端部側にハンドル部を有する第一のアームおよび第二のアームと、
前記第一のアームに設けられた２以上の異なる位置で係止できる孔に挿通されており、前記第一のアームおよび第二のアームを、回転可能に連結する連結部と、
当該連結部を当該孔の２以上の異なる位置で係止させて、前記アゴ部間の開口幅を調整するための係止構造と、を備えており、
前記第一のアームのアゴ部の先端および第二のアームのアゴ部の先端には、第一の対向面および第二の対向面が設けられ、
前記係止構造により前記アゴ部の開口幅が最も狭くなる位置で前記連結部を係止させた状態で、前記連結部の回転中心が、前記第一の対向面および第二の対向面から等距離にある面上に位置するウォーターポンププライヤ。
【請求項２】
前記第一の対向面および第二の対向面は、前記アゴ部の先端から延びる凸条が設けられた凹部を有する請求項１記載のウォーターポンププライヤ。
【請求項３】
前記第一のアームのアゴ部の凹部および第二のアームのアゴ部の凹部にそれぞれ設けられた凸条の少なくとも先端側は、アゴ部を閉じた状態において、アゴ部の先端から離れるにつれて、当該凸条同士が離れていくように傾斜している請求項２記載のウォーターポンププライヤ。
【請求項４】
前記第一のアームまたは第二のアームの少なくとも一方の第二の端部側に、当該第一のアームまたは第二のアームの延びる方向に垂直な断面が正ｎ角形（ｎは、３以上の整数）であって、第二の端部の先端に向かって、太さが連続的に減少する形状を有するレンチ形状部を備えた請求項１から請求項３いずれか一項記載のウォーターポンププライヤ。
【請求項５】
前記第一のアームまたは第二のアームの少なくとも一方の第二の端部側に、幅が閾値以下であるマイナスドライバ形状を有するドライバ形状部を備えた請求項１から請求項４いずれか一項記載のウォーターポンププライヤ。
【請求項６】
前記第一のアームおよび第二のアームの少なくとも一方のハンドル部に着脱可能に取付けられるカバー部材を更に備え、
前記カバー部材は、長手方向に延びる開口部を有しており、当該開口部は、少なくとも一方の端部まで到達しており、当該開口部の長手方向に垂直な断面がＣ字形状であり、
前記カバー部材がはめ込まれる前記アームのハンドル部の、前記第一のアームと第二のアームとが対向する側の反対側には、前記開口部を介して前記カバー部材のＣ字形状内部に嵌め込み可能な形状を有する嵌め込み部が設けられており、
前記カバー部材は、当該カバー部材が取付けられる前記アームの嵌め込み部が、当該カバー部材の開口した端部から当該カバー部材のＣ字形状内部に挿入されるよう、前記アームの前記ハンドル部と反対側の端部側から前記ハンドル部に向かってスライドさせることにより、前記アームに取付けられる請求項１から請求項５いずれか一項記載のウォーターポンププライヤ。
【請求項７】
前記ハンドル部の嵌め込み部の付け根となる部分が、前記カバー部材が嵌め込まれた状態で、前記カバー部材の開口部に挟み込まれた状態となる形状を有している請求項６記載のウォーターポンププライヤ。
【請求項８】
前記各カバー部材は、前記アームに取付けられた状態で前記第二の端部側となる部分に係止面を有し、
前記各カバー部材が取付けられる前記アームの、前記第二の端部側には、前記カバー部材の係止面と係止して、当該カバー部材の前記第二の端部側への移動を防ぐカバー係止部が更に設けられている請求項６または請求項７記載のウォーターポンププライヤ。
【請求項９】
前記カバー部材が取付けられるハンドル部は、前記カバー部材を取り外した状態で露出する部分に、滑り止め形状を有している請求項６から請求項８いずれか一項記載のウォーターポンププライヤ。
【請求項１０】
請求項６から請求項９いずれか一項記載のウォーターポンププライヤに用いられるカバー部材。